(57)【要約】【課題】簡易に高品質の画像を形成する。【解決手段】感熱紗１０へ向かって光線を照射するキセノンランプ２１ｃと、感熱紗１０上に画像を形成するための原稿画像データを生成する画像生成手段３２ａと、画像生成手段３２ａにより生成された原稿画像データに基づいて原稿画像を表示することにより、キセノンランプ２１ｃから照射された光線のうち画像に対応する対応画像４２に照射された光線を透過させる液晶表示部２２を備える。【選択図】図１
2019177547.tif 000002
【特許請求の範囲】
【請求項１】
被感光体へ向かって光線を照射する光源と、
前記被感光体上に画像を形成するための原稿画像データを生成する画像生成手段と、
前記光源と前記被感光体との間に配置され、前記画像生成手段により生成された原稿画像データに基づいて原稿画像を表示することにより、前記光源から照射された光線のうち前記画像に対応する対応画像に照射された光線を透過させる光学フィルターと、
を備えたことを特徴とする画像形成装置。
【請求項２】
前記光源と前記光学フィルターとは、前記被感光体の平面に対して移動可能に設けられ、
前記画像生成手段は、
前記生成した原稿画像を前記光学フィルターで表示可能な大きさになるように分割して分割原稿画像データを生成し、
前記光学フィルターは、
前記生成された分割原稿画像データに基づいて、前記対応画像に照射された光線を透過させる光透過領域と前記対応画像に照射された光線を透過させない光非透過領域との境界線を表示すると共に、前記光透過領域および前記光非透過領域に前記分割された原稿画像を表示する
ことを特徴とする請求項１記載の画像形成装置。
【請求項３】
前記画像生成手段は、
前記対応画像が前記境界線を跨ぐように、前記分割原稿画像データを生成する
ことを特徴とする請求項２記載の画像形成装置。
【請求項４】
前記光源により照射された光線の光量分布と前記原稿画像データとに基づいて、前記光透過領域における前記対応画像に照射された光線の光透過率を決定し、前記決定した光透過率で前記光学フィルターに前記光線を透過させる光透過率決定手段を、
さらに備えたことを特徴とする請求項２〜３のいずれか１項記載の画像形成装置。
【発明の詳細な説明】
【技術分野】
【０００１】
本発明は、高品質の画像を形成する画像形成装置に関する。
【背景技術】
【０００２】
一般的に、画像形成装置の一種として、縦糸と横糸とを編み上げて複数のメッシュを有する紗上に感熱フィルムを接着剤を用いて貼着した感熱紗を穿孔することにより、画像が形成された版を作製する感熱製版装置がよく知られている。
【０００３】
例えば、特許文献１には、スクリーンマスター（感熱紗）の感熱フィルム側に、カーボンを含有するインクを用いて画像が印刷された原稿を密着させ、スクリーンマスターに向けて光源から光線を照射させるスクリーン印刷原版作製装置に関する技術が記載されている。この技術により、スクリーンマスターを透過して原稿に到達した光が原稿の画像に熱を発生させ、この発生した熱により感熱フィルムに穿孔された画像が形成されることにより、スクリーン印刷原版が作製される。
【０００４】
そして、スクリーン印刷装置により、この作製されたスクリーン印刷原版上にインクを滴下して用紙やＴシャツなどに画像をスクリーン印刷することができる。
【先行技術文献】
【特許文献】
【０００５】
【特許文献１】実公平６−２１７３２号公報
【発明の概要】
【発明が解決しようとする課題】
【０００６】
しかしながら、特許文献１に記載のスクリーン印刷原版作製装置では、用紙に画像を印刷することにより原稿を用意する必要があるため、ユーザにとって手間がかかっていた。
【０００７】
また、インクジェット印刷機を用いて印刷して原稿を作成すると、インク吐出によって発生した画像形成に使用しない微小液滴（サテライト）が原稿に付着する場合がある。そして、このサテライトが付着した原稿を用いてスクリーン印刷原版を作製すると、微小液滴（サテライト）もピンホールとして穿孔されてしまい、スクリーン印刷の印刷品質が低下することがあった。
【０００８】
また、特許文献１に記載のスクリーン印刷原版作製装置では、ユーザが押圧することにより、スクリーンマスター（感熱紗）の感熱フィルム側に原稿を密着させるので、スクリーンマスター（感熱紗）と原稿との密着性にばらつきが生じる場合がある。これにより、スクリーン印刷された画像に濃度のばらつきなどの印刷品質が低下する場合がある。
【０００９】
そこで、本発明は、簡易に高品質の画像を形成する画像形成装置を提供することを目的とする。
【課題を解決するための手段】
【００１０】
本発明は上記課題に鑑みてなされたものであり、本発明に係る画像形成装置の特徴は、
被感光体へ向かって光線を照射する光源と、
前記被感光体上に画像を形成するための原稿画像データを生成する画像生成手段と、
前記光源と前記被感光体との間に配置され、前記画像生成手段により生成された原稿画像データに基づいて原稿画像を表示することにより、前記光源から照射された光線のうち前記画像に対応する対応画像に照射された光線を透過させる光学フィルターと、を備えたことにある。
【発明の効果】
【００１１】
本発明に係る画像形成装置の特徴によれば、高品質の画像を形成することができる。
【図面の簡単な説明】
【００１２】
【図１】本発明に係る実施例１の感熱製版装置を斜視的に示している。
【図２】本発明に係る実施例１の感熱製版装置の光学ユニットを説明した断面図である。
【図３】本発明に係る実施例１の感熱製版装置の端末により生成される原稿画像データに基づいて表示された原稿画像の一例を示した図である。
【図４】（ａ）は、分割原稿画像データに基づいて液晶表示部に表示された分割画像を示している。（ｂ）は、（ａ）に示した分割画像を液晶表示部に表示させた状態で、キセノンランプの発光により穿孔された感熱紗の一例を示した図である。（ｃ）は、分割原稿画像データに基づいて液晶表示部に表示された分割画像を示している。
【図５】（ａ）は、図４（ｂ）に示した分割画像に基づいて画像が穿孔された感熱紗に、分割画像が表示された液晶表示部の位置決めをするために重ね合わせた例を示している。（ｂ）は、分割画像に基づいてキセノンランプにて発光させた例を示している。（ｃ）は、感熱紗上に連続した画像が形成された例を示している。
【図６】本発明に係る実施例１の感熱製版装置による処理内容を示したフローチャートである。
【図７】（ａ）は、従来技術の感熱製版装置における光学ユニットの位置を示した図であり、（ｂ）は、本発明に係る実施例１の感熱製版装置における光学ユニットの位置を示した図である。
【図８】本発明に係る実施例２の感熱製版装置における光透過率の決定処理を説明した説明図である。
【図９】本発明に係る実施例３の感熱製版装置の端末により生成される原稿画像データに基づいて表示された原稿画像の一例を示した図である。
【図１０】本発明に係る実施例４の感熱製版装置において、位置合わせを補助するメッシュシートの一例を示した平面図である。
【図１１】本発明に係る実施例５の感熱製版装置において、位置合わせを補助するガイドユニットの一例を示した平面図である。
【発明を実施するための形態】
【００１３】
以下、本発明の実施の形態について、図面を参照して説明する。各図面を通じて同一若しくは同等の部位や構成要素には、同一若しくは同等の符号を付している。ただし、図面は模式的なものであり、現実のものとは異なることに留意すべきである。また、図面相互間においても互いの寸法の関係や比率が異なる部分が含まれている。
【００１４】
また、以下に示す実施の形態は、この発明の技術的思想を具体化するための装置等を例示するものであって、この発明の技術的思想は、各構成部品の配置等を下記のものに特定するものでない。この発明の技術的思想は、特許請求の範囲において、種々の変更を加えることができる。
【００１５】
［実施例１］
本発明に係る実施例１では、画像形成装置の一種である感熱製版装置を例に挙げて説明する。
【００１６】
図１は、本発明に係る実施例１の感熱製版装置を斜視的に示している。ここでは、原稿画像を複数に分割し、複数回光線を感熱紗に照射することにより製版する感熱製版装置を例に挙げて説明する。
【００１７】
図１に示すように、本発明に係る実施例１の感熱製版装置１００は、製版対象である感熱紗１０が固定された製版ユニット１と、感熱紗１０を穿孔させる光学ユニット２と、光学ユニット２を制御する端末３とを備えている。
【００１８】
製版ユニット１は、感熱紗１０が矩形状の紗枠１３に取り付けられて構成される。感熱紗１０は、縦糸と横糸とでメッシュ状に織られたスクリーン印刷用紗１１上で製版側となる表面に感熱材１２を設けて形成される。
【００１９】
感熱材１２としては、例えば感熱フィルムが使用されている。感熱フィルムがスクリーン印刷用紗１１上に貼り付けられているので、以下では感熱材１２を感熱フィルム１２と呼称して説明する。
【００２０】
また、感熱紗１０の製版側（表面側）の上方には、感熱紗１０の感熱フィルム１２に光線を照射することにより穿孔する光学ユニット２が、感熱紗１０の平面上でＸ軸方向およびＹ軸方向に移動可能に配置される。すなわち、ユーザは、感熱紗１０の平面上で光学ユニット２をＸ軸方向およびＹ軸方向に移動して位置決めをした上で、光学ユニット２を操作して、光学ユニット２を発光させることにより穿孔する。ユーザがこの動作を紗枠１３内で繰り返すことにより、感熱紗１０全体に画像を形成させることができる。
【００２１】
図２に示すように、光学ユニット２は、感熱紗１０へ向かって光線を照射する光照射部２１と、光照射部２１の下部に配置される液晶表示部２２とを備えている。
【００２２】
光照射部２１と液晶表示部２２とは脱着可能に設けられている。液晶表示部２２に光照射部２１が装着されると、図示しない検出センサが装着されたことを検出し、後述するキセノンランプ２１ｃが発光する。また、液晶表示部２２から光照射部２１が取り外されることにより、ユーザは、液晶表示部２２に表示された原稿画像を視認することができる。
【００２３】
光照射部２１は、外装カバー２１ａ内に、リフレクタ２１ｂと、光源であるキセノンランプ２１ｃとが設けられている。
【００２４】
キセノンランプ２１ｃは、キセノンガス中での放電による発光を利用した光源である。感熱フィルム１２は、あらかじめカーボンが含有又は塗布されている。キセノンランプ２１ｃが発光した光線（赤外線）が、感熱紗１０の感熱フィルム１２に照射されると、カーボンに熱が発生し、この発生した熱により感熱フィルム１２が穿孔される。なお、カーボンが含有又は塗布されていない感熱フィルム１２を用いる場合は、カーボンが含有又は塗布されたシート（図示せず）を感熱紗１０の直下に配置するようにしてもよい。
【００２５】
リフレクタ２１ｂは、キセノンランプ２１ｃが発光した光線を液晶表示部２２方向へと反射する。
【００２６】
液晶表示部２２は、端末３により生成された原稿画像データに基づいて原稿画像を表示する。液晶表示部２２により表示された原稿画像全体のうち、感熱紗１０に形成したい画像に対応する部分を対応画像という。液晶表示部２２はキセノンランプ２１ｃから照射された光線のうち対応画像に照射された光線のみを透過させることにより、感熱紗１０に画像を形成することができる。
【００２７】
端末３は、外部インターフェイス部３１を有しており、この外部インターフェイス部３１を介して、光学ユニット２との間で原稿画像を送受信したり、光源の制御信号を送受信したりする。
【００２８】
また、端末３は、プログラムに基づいて各種の処理を実行するＣＰＵ３２を備えている。ＣＰＵ３２には、各種インターフェイスを介して種々のデバイスと接続されている。具体的にはＣＰＵ３２は、各種インターフェイスを介して、キーボードやマウス等から構成される入力部３４や、液晶ディスプレイ等から構成される出力部３５、大容量の記憶装置などの外部記憶装置３３などが接続されている。
【００２９】
外部記憶装置３３には、原稿画像データを生成したり、光学ユニット２を制御したりするためのアプリケーションプログラムや、原稿画像データを生成するための元画像データが記憶されている。
【００３０】
ＣＰＵ３２は、プロセッサやメモリその他の周辺装置によって構成される演算装置であり、入力部３４から入力される要求に従って外部記憶装置３３に記憶されたアプリケーションプログラムを起動させる。
【００３１】
また、ＣＰＵ３２は、その機能上、画像生成手段３２ａと、表示制御手段３２ｂと、光透過率決定手段３２ｃと、光源制御手段３２ｄとを有している。
【００３２】
画像生成手段３２ａは、被感光体である感熱紗１０上に画像を形成するための原稿画像データを生成する。この原稿画像データは、外部記憶装置３３に記憶された元画像データに基づいて、感熱紗１０上に形成される画像に対応する対応画像に照射された光線のみを透過させるように生成される。
【００３３】
図３は、本発明に係る実施例１の感熱製版装置１００の端末３により生成される原稿画像データに基づいて表示された原稿画像の一例を示した図である。
【００３４】
図３に示すように、原稿画像４１は、紗枠１３内に表示されるように生成される。原稿画像４１には、対応画像４２が表示されている。例えば、この対応画像４２を光線が透過するように光透過率を１００（％）とし、原稿画像４１の中で対応画像４２以外の領域を光線が透過しないように光透過率を０（％）として原稿画像４１が生成される。
【００３５】
また、上述したように、ユーザは、光学ユニット２を感熱紗１０の平面上でＸ軸方向およびＹ軸方向に移動しながら感熱紗１０に画像を形成させる。
【００３６】
そのため、原稿画像４１を光学ユニット２の液晶表示部２２に表示可能な大きさに分割する必要がある。
【００３７】
そこで、画像生成手段３２ａは、生成した原稿画像を液晶表示部２２で表示可能な大きさになるように分割して分割原稿画像データを生成する。なお、図３では、分割原稿画像データに基づいて表示された分割画像４４〜４９のみを示しているが、紗枠１３内の対象画像を含む領域全体において分割画像として領域分割することにより分割原稿画像データを生成する。図３に示すように、分割画像４４〜分割画像４９の順位となるように、左上から右下へ分割原稿画像データの順位が定められている。
【００３８】
表示制御手段３２ｂは、画像生成手段３２ａにより生成された分割原稿画像データに基づいて、対応画像に照射された光線を透過させる光透過領域と対応画像に照射された光線を透過させない光非透過領域との境界線を表示するように、液晶表示部２２を制御する。
【００３９】
図４〜図５は、分割原稿画像データに基づいた穿孔動作の一例を示した図である。
【００４０】
図４（ａ）は、分割原稿画像データに基づいて液晶表示部２２に表示された分割画像４４を示している。
【００４１】
分割画像４４は、対応画像４２に照射された光線を透過させる光透過領域４４ａと、対応画像４２に照射された光線を透過させない光非透過領域４４ｂとを有している。すなわち、光透過領域４４ａ内の対応画像４２が感熱紗１０で穿孔されるが、光非透過領域４４ｂ内の対応画像４２は、光線が透過しないようにマスクされるので穿孔されない。
【００４２】
そして、ユーザがこの光透過領域４４ａと光非透過領域４４ｂとの境界を認識できるように境界線４４ｃが表示されている。
【００４３】
このとき、光透過率決定手段３２ｃは、キセノンランプ２１ｃにより照射された光線の光量分布と分割原稿画像データとに基づいて、光透過領域４４ａにおける対応画像４２に照射された光線の光透過率を決定し、決定した光透過率で液晶表示部２２に光線を透過させるようにしてもよい。詳細は後述する。
【００４４】
光源制御手段３２ｄは、ユーザにより光学ユニット２の発光操作が行われると、キセノンランプ２１ｃを発光させる。
【００４５】
図４（ｂ）は、図４（ａ）に示した分割画像４４を液晶表示部２２に表示させた状態で、キセノンランプ２１ｃの発光により穿孔された感熱紗１０の一例を示した図である。
【００４６】
キセノンランプ２１ｃが発光すると、図４（ａ）に示した分割画像４４のうち、光透過領域４４ａ内に表示された対応画像４２のみが穿孔されて、感熱紗１０に画像５１が形成される。
【００４７】
分割画像４４に基づいて穿孔が完了すると、表示制御手段３２ｂは、分割画像４４の次の順位の分割画像４５を液晶表示部２２に表示させる。
【００４８】
図４（ｃ）は、分割原稿画像データに基づいて液晶表示部２２に表示された分割画像４５を示している。
【００４９】
分割画像４５は、分割画像４４と同様に、光透過領域４５ａと光非透過領域４５ｂとを有している。すなわち、光透過領域４５ａ内の対応画像４２が感熱紗１０で穿孔されるが、光非透過領域４５ｂ内の対応画像４２は穿孔されない。
【００５０】
そして、ユーザがこの光透過領域４５ａと光非透過領域４５ｂとの境界を認識できるように境界線４５ｃが表示されている。
【００５１】
ユーザは、感熱紗１０の平面上で、分割画像４５が表示された液晶表示部２２を有する光学ユニット２をＸ軸方向およびＹ軸方向に移動して位置決めをした上で、光学ユニット２を操作して、光学ユニット２を発光させることにより穿孔する。
【００５２】
図５（ａ）は、図４（ｂ）に示した分割画像４４に基づいて画像５１が穿孔された感熱紗１０に、分割画像４５が表示された液晶表示部２２の位置決めをするために重ね合わせた例を示している。
【００５３】
感熱紗１０の画像５１の上に、液晶表示部２２に表示された分割画像４５が重なると、対応画像４２のうち、光非透過領域４５ｂ内の対応画像４２ａは、感熱紗１０の画像５１と重なり合って見えることになる。そのため、ユーザは、この対応画像４２ａと画像５１とが重なるように、光学ユニット２をＸ軸方向およびＹ軸方向に移動して位置決めを行う。
【００５４】
そして、位置決めした状態で、ユーザにより光学ユニット２の発光操作が行われると、光源制御手段３２ｄは、キセノンランプ２１ｃを発光させる。
【００５５】
図５（ｂ）は、分割画像４５に基づいてキセノンランプ２１ｃにて発光させた例を示している。
【００５６】
キセノンランプ２１ｃにて発光させる際、光非透過領域４５ｂ内の対応画像４２ａ，４２ｂはマスクされるので光線が透過されず穿孔されない。
【００５７】
これにより、図５（ｃ）に示すように、感熱紗１０上に連続した画像５１を形成させることができる。なお、光非透過領域４５ｂ内の対応画像４２ａは光線を透過させないが、既に穿孔された領域であるので、再度穿孔させるように光線を透過させるようにしてもよい。
【００５８】
＜感熱製版装置１００の作用＞
次に、本発明に係る実施例１の感熱製版装置１００の作用について説明する。
【００５９】
図６は、本発明に係る実施例１の感熱製版装置１００による処理内容を示したフローチャートである。
【００６０】
端末３から製版開始が要求されると（ステップＳ１０１；ＹＥＳ）、画像生成手段３２ａは、感熱紗１０上に画像を形成するための原稿画像データを生成する（ステップＳ１０３）。
【００６１】
次に、画像生成手段３２ａは、生成した原稿画像を液晶表示部２２で表示可能な大きさになるようにｍ個に分割して分割原稿画像データを生成する（ステップＳ１０５）。
【００６２】
そして、カウンタｎに“１”を代入して（ステップＳ１０７）、表示制御手段３２ｂが、画像生成手段３２ａにより生成された分割原稿画像データに基づいて、ｎ番目の分割画像を液晶表示部２２に表示させる（ステップＳ１０９）。
【００６３】
ユーザは、ｎ番目の分割画像に基づいて、光学ユニット２をＸ軸方向およびＹ軸方向に移動して位置決めを行う（ステップＳ１１１）。
【００６４】
そして、位置決めした状態で、ユーザにより光学ユニット２の発光操作が行われると、光源制御手段３２ｄは、キセノンランプ２１ｃを発光させる（ステップＳ１１５）。これにより、ｎ番目の分割画像に基づいて感熱紗１０上に画像が穿孔される。
【００６５】
ＣＰＵ３２は、カウンタｎが分割数ｍ以上となるまで（ステップＳ１１５；ＹＥＳ）、カウンタｎをインクリメントしながら（ステップＳ１１７）、ステップＳ１０９〜Ｓ１１５の処理を繰り返し実行する。
【００６６】
以上のように、本発明に係る実施例１の感熱製版装置１００によれば、液晶表示部２２が、画像生成手段３２ａにより生成された原稿画像データに基づいて原稿画像を表示することにより、キセノンランプ２１ｃから照射された光線のうち画像に対応する対応画像４２に照射された光線を透過させる。
【００６７】
そのため、用紙に画像が印刷された原稿を用意する必要がないので、簡易に製版を行うことができユーザにとって利便性が向上する。また、印刷を行わないので、微小液滴（サテライト）の発生によりピンホールが穿孔されることがない。そのため、製版の品質を向上させることができるので印刷品質を向上させることができる。
【００６８】
また、従来技術のように、ユーザが押圧して感熱フィルム１２に原稿を密着させる必要がないので、押圧力のばらつきによる製版画像に濃度のばらつきを防止できるので、印刷品質を向上させることができる。
【００６９】
図７は、従来技術と比較して、本発明に係る実施例１の感熱製版装置１００の効果を説明した図である。（ａ）は、従来技術の感熱製版装置における光学ユニットの位置を示した図であり、（ｂ）は、本発明に係る実施例１の感熱製版装置１００における光学ユニットの位置を示した図である。
【００７０】
図７（ａ）に示すように、従来技術では、感熱フィルム１２に原稿１４を密着させて穿孔する必要があるため、キセノンランプ２１ｃ側からスクリーン印刷用紗１１、感熱フィルム１２、原稿１４の順にセットされる必要がある。
【００７１】
この場合、紗枠１３に光学ユニット２が干渉することになるので、この干渉により穿孔可能領域１０ｂの周囲に感熱紗１０に穿孔不可な領域である穿孔不可領域１０ａが存在する。
【００７２】
一方、本発明に係る実施例１の感熱製版装置１００では、図７（ｂ）に示すように、原稿１４の代わりに液晶表示部２２を用いることになる。液晶表示部２２は、感熱フィルム１２に密着させて穿孔する必要はないため、キセノンランプ２１ｃ側から液晶表示部２２、感熱フィルム１２、スクリーン印刷用紗１１の順にセットすることができる。
【００７３】
これにより、紗枠１３に光学ユニット２が干渉することがないので、穿孔不可領域１０ａが存在せず、感熱紗１０全体を穿孔可能領域１０ｂとすることができる。そのため、穿孔範囲が広くなるので印刷可能範囲が広くなる。
【００７４】
また、画像生成手段３２ａが、生成された分割原稿画像データに基づいて、対応画像４２に照射された光線を透過させる光透過領域と対応画像４２に照射された光線を透過させない光非透過領域との境界線を表示すると共に、光透過領域および光非透過領域に分割された原稿画像を表示する。
【００７５】
そのため、ユーザは、表示された境界線を見ながら、感熱紗１０上に分割画像に基づいて穿孔された画像に、液晶表示部２２に表示された分割画像を重ね合わすことができるので、位置決めが容易になる。
【００７６】
なお、本発明に係る実施例１の感熱製版装置１００では、光学フィルターとして液晶表示部２２を例に挙げて説明したが、液晶に限らず、表示制御手段３２ｂからの制御信号に基づいて、キセノンランプ２１ｃから照射された光線のうち画像に対応する対応画像４２に照射された光線を透過させる光学的なフィルターであればどのようなものでもよい。
【００７７】
また、本発明に係る実施例１では、液晶表示部２２が分割原稿画像を表示し、キセノンランプ２１ｃが光線を複数回照射することにより製版する感熱製版装置１００を例に挙げて説明したが、これに限らない。液晶表示部２２が原稿画像データに基づいて原稿画像を分割することなく表示し、キセノンランプ２１ｃが１回のみ照射することにより製版するようにしてもよい。
【００７８】
＜実施例２＞
本発明に係る実施例１の感熱製版装置１００では、画像生成手段３２ａが、感熱紗１０上に形成される画像に対応する対応画像に照射された光線のみを１００％の光透過率で透過させるように原稿画像データを生成したが、これに限らず、光線の光量分布にもとづいて光透過率を決定するようにしてもよい。
【００７９】
図８は、本発明に係る実施例２の感熱製版装置１００における光透過率の決定処理を説明した説明図である。
【００８０】
キセノンランプ２１ｃから発光される光線の一部は、リフレクタ２１ｂに反射されながら感熱紗１０に照射されるが、キセノンランプ２１ｃは中央部に設けられているので、図８（ａ）の光量６１に示すように、１００％の光透過率で光線を透過させると中央部の光量が多くなる。具体的には、図８（ｂ）の光量分布６４に示すように、キセノンランプ２１ｃと距離が近い中央部では光量が大きく明るいが、キセノンランプ２１ｃとの距離が遠くなるに従って光量が小さくなっている。
【００８１】
そのため、本発明に係る実施例２の感熱製版装置１００では、図８（ｂ）に示したキセノンランプ２１ｃにより照射された光線の光量分布６４と原稿画像データとに基づいて、光透過領域における対応画像に照射された光線の光透過率を決定する。具体的には、ＣＰＵ３２の光透過率決定手段３２ｃが、図８（ｃ）に示すように、対応画像内の光量が均一となるように、左右方向の中央部の光透過率を低く設定し、中央部から左右方向の光透過率ほど高くないように設定する。
【００８２】
そして、光透過率決定手段３２ｃは、決定した光透過率で液晶表示部２２に光線を透過させる。
【００８３】
このように、本発明に係る実施例２の感熱製版装置１００によれば、光透過率決定手段３２ｃが、キセノンランプ２１ｃにより照射された光線の光量分布と原稿画像データとに基づいて、光透過領域４４ａにおける対応画像４２に照射された光線の光透過率を決定し、決定した光透過率で液晶表示部２２に光線を透過させる。
【００８４】
そのため、光透過領域における対応画像４２に照射された光線の光透過率を均一にすることができるので、印刷物の中央部ほど濃度が濃くなるようなばらつきを低減することができる。
【００８５】
＜実施例３＞
本発明に係る実施例１の感熱製版装置１００では、画像生成手段３２ａが、生成した原稿画像を液晶表示部２２で表示可能な大きさになるように分割して分割原稿画像データを生成したが、対応画像が境界線を跨ぐように、分割原稿画像データを生成するようにしてもよい。
【００８６】
図９は、本発明に係る実施例３の感熱製版装置１００の端末３により生成される原稿画像データに基づいて表示された原稿画像の一例を示した図である。
【００８７】
図９に示すように、原稿画像７１は、紗枠１３内に表示されるように生成される。原稿画像７１には、対応画像７２が表示されている。この対応画像７２には、円形画像７２ａ，７２ｂ，７２ｃが含まれている。この円形画像７２ａ，７２ｂ，７２ｃは、それぞれ図形同士が接触していない。
【００８８】
そのため、感熱紗１０上に分割画像に基づいて穿孔された画像に、液晶表示部２２に表示された分割画像を重ね合わす際、位置決めが可能なように、隣り合う分割画像に対応画像７２が跨るように原稿画像を分割する必要がある。
【００８９】
そこで、画像生成手段３２ａは、図９に示すように、対応画像が境界線を跨ぐように、分割原稿画像データを生成する。具体的には、円形画像７２ａを跨ぐように、分割画像７４と分割画像７５とに分割し、円形画像７２ｂを跨ぐように、分割画像７５と分割画像７６とに分割し、円形画像７２ｃを跨ぐように、分割画像７６と分割画像７７とに分割する。
【００９０】
以上のように、本発明に係る実施例３の感熱製版装置１００によれば、画像生成手段３２ａは、対応画像７２が境界線を跨ぐように、分割原稿画像データを生成する。
【００９１】
そのため、隣り合う分割画像で対応画像７２が跨っているので、ユーザは、感熱紗１０上に分割画像に基づいて穿孔された画像に、液晶表示部２２に表示された分割画像を重ね合わす際の位置決めが容易になる。
【００９２】
＜実施例４＞
本発明に係る実施例１の感熱製版装置１００では、ユーザは、分割画像の対応画像と感熱紗１０に穿孔された画像とが重なるように、光学ユニット２をＸ軸方向およびＹ軸方向に移動して位置決めを行った。
【００９３】
本発明に係る実施例４では、さらに、位置合わせを補助するメッシュシートが追加された感熱製版装置１００を例に挙げて説明する。
【００９４】
図１０に示すように、本発明に係る実施例４の感熱製版装置１００では、枠体１３の内側であって、感熱フィルム１２の光学ユニット２側に、Ｘ軸方向およびＹ軸方向に格子状に直線が描かれたメッシュシート８１が設けられている。メッシュシート８１は光透過性の素材にて作製されている。
【００９５】
これにより、ユーザは、メッシュシート８１に描かれた格子状の直線に沿って光学ユニット２をＸ軸方向およびＹ軸方向に移動して位置決めを行うことができるので、位置決めが容易になる。
【００９６】
＜実施例５＞
本発明に係る実施例５では、さらに、位置合わせを補助するガイドユニットが追加された感熱製版装置１００を例に挙げて説明する。
【００９７】
図１１に示すように、本発明に係る実施例５の感熱製版装置１００では、紗枠１３に位置合わせを補助するガイドユニット９０が固定されている。
【００９８】
ガイドユニット９０は、紗枠１３の両側にＹ方向に沿って設けられたガイドレール９１と、このガイドレール９１に沿ってＹ軸方向にスライド可能に設けられたガイド板９２とを備えている。
【００９９】
ユーザは、ガイド板９２をガイドレール９１に沿ってガイド板９２をＹ軸方向にスライドさせて位置決めを行う。そして、ユーザは、ガイド板９２に沿って、光学ユニット２をＸ軸方向にスライドさせることにより、簡易に光学ユニット２の位置決めを行うことができる。
【０１００】
なお、本発明に係る実施例１〜５では、画像形成装置の一種である感熱製版装置１００を例に挙げて説明したがこれに限らず、例えば、画像形成装置の一種であるＵＶ硬化マスク装置などにも適用することも可能である。
【０１０１】
ＵＶ硬化マスク装置では、被感光体として感熱紗１０に替えて紫外線により硬化するＵＶ硬化剤が塗布されたＵＶ硬化シートが用いられ、光源としてキセノンランプ２１ｃに替えて、ＵＶランプが用いられる。
【０１０２】
これにより、液晶表示部２２が、画像生成手段３２ａにより生成された原稿画像データに基づいて原稿画像を表示することにより、ＵＶランプから照射された光線（紫外線）のうち画像に対応する対応画像４２に照射された紫外線を透過させるので、ＵＶ硬化シート上で紫外線が照射された画像が硬化する。その後、ＵＶ硬化シートに塗布されたＵＶ硬化剤のうち未硬化のＵＶ硬化剤を洗い流すことにより、ＵＶ硬化シート上に画像を形成させることができる。このようにして簡易に品質の高い画像を形成することができる。
【０１０３】
（付記）
本出願は、以下の発明を開示する。
【０１０４】
（付記１）
被感光体へ向かって光線を照射する光源と、
前記被感光体上に画像を形成するための原稿画像データを生成する画像生成手段と、
前記光源と前記被感光体との間に配置され、前記画像生成手段により生成された原稿画像データに基づいて原稿画像を表示することにより、前記光源から照射された光線のうち前記画像に対応する対応画像に照射された光線を透過させる光学フィルターと、
を備えたことを特徴とする画像形成装置。
【０１０５】
（付記２）
前記光源と前記光学フィルターとは、前記被感光体の平面に対して移動可能に設けられ、
前記画像生成手段は、
前記生成した原稿画像を前記光学フィルターで表示可能な大きさになるように分割して分割原稿画像データを生成し、
前記光学フィルターは、
前記生成された分割原稿画像データに基づいて、前記対応画像に照射された光線を透過させる光透過領域と前記対応画像に照射された光線を透過させない光非透過領域との境界線を表示すると共に、前記光透過領域および前記光非透過領域に前記分割された原稿画像を表示する
ことを特徴とする（付記１）記載の画像形成装置。
【０１０６】
（付記３）
前記画像生成手段は、
前記対応画像が前記境界線を跨ぐように、前記分割原稿画像データを生成する
ことを特徴とする（付記２）記載の画像形成装置。
【０１０７】
（付記４）
前記光源により照射された光線の光量分布と前記原稿画像データとに基づいて、前記光透過領域における前記対応画像に照射された光線の光透過率を決定し、前記決定した光透過率で前記光学フィルターに前記光線を透過させる光透過率決定手段を、
さらに備えたことを特徴とする（付記２）または（付記３）記載の画像形成装置。
【符号の説明】
【０１０８】
１  製版ユニット
２  光学ユニット
３  端末
１０  感熱紗
１０ａ  穿孔不可領域
１０ｂ  穿孔可能領域
１１  スクリーン印刷用紗
１２  感熱フィルム
１３  紗枠
１４  原稿
２１  光照射部
２１ａ  外装カバー
２１ｂ  リフレクタ
２１ｃ  キセノンランプ
２２  液晶表示部
３１  外部インターフェイス部
３２ａ  画像生成手段
３２ｂ  表示制御手段
３２ｃ  光透過率決定手段
３２ｄ  光源制御手段
３３  外部記憶装置
３４  入力部
３５  出力部
８１  メッシュシート
９０  ガイドユニット
９１  ガイドレール
９２  ガイド板
１００  感熱製版装置
【図１】
2019177547.tif 000003
【図２】
2019177547.tif 000004
【図３】
2019177547.tif 000005
【図４】
2019177547.tif 000006
【図５】
2019177547.tif 000007
【図６】
2019177547.tif 000008
【図７】
2019177547.tif 000009
【図８】
2019177547.tif 000010
【図９】
2019177547.tif 000011
【図１０】
2019177547.tif 000012
【図１１】
2019177547.tif 000013